(57)【要約】      （修正有）【課題】光輝性顔料やパール性顔料を配合したインキを有する筆記具を用いて、健常者には光輝感及び立体感に優れる文書や描画を作成しやすく、弱視者にとっては明度差や光輝性を明確に視認しやすい、筆記用紙を提供する。【解決手段】表面色がマンセル番号Ｎ１．５〜３近似色をもって製紙された低明度の用紙１表面上に前記表面色以外の色インキを用いて、罫線、点線、ドット等あるいは、枠、縁飾り等を印刷しておき、該印刷要素の各々によって光輝性顔料やパール性顔料を配合したインキを有する筆記具で筆記した場合の筆記用補助線３、あるいは描画用額枠が予め設けてある構成とする。【選択図】図１
0003186294.tif 000002
【実用新案登録請求の範囲】
【請求項１】
表面色がマンセル番号Ｎ１．５〜３の近似色に製紙された用紙において、罫線、点線、点等の筆記用補助線、もしくは額縁、枠、縁飾り等の描画用額枠が前記表面色以外の色インキで前記用紙表面上に印刷されている事を特徴とする筆記用紙。
【考案の詳細な説明】
【技術分野】
【０００１】  本考案は、その表面色がマンセル番号１．５〜３近似に製紙された用紙表面上に筆記用補助線あるいは描画用額枠を印刷しておく、光輝性顔料インキ等を有する筆記具による筆記あるいは描画用の筆記用紙に関するものである。
【背景技術】
【０００２】  表面色が漆黒あるいは漆黒近似の筆記用紙は、罫線や額枠等がその表面に印刷されることはなく、通常は無地のままであり、その多くは予め黒色に漉いた黒紙を定型に切断し束ねたものが殆どである。【０００３】  従来の筆記用紙が白色に近似する高明度のものであるのは、筆記具の色材が黒色もしくは低明度であり、対比効果による視認性を重視したからであるが、近年、光輝性顔料やパール性顔料を配合したインキを有する筆記具が開発され、この場合筆記用紙としては高明度のものより漆黒に近い低明度のものが光輝性や立体性が際立つことが知られている。【０００４】  しかしながら従来の筆記用紙印刷では黒色紙に罫線等を印刷する場合、センサーが誤作動するため印刷不能であり、やむを得ず白色紙に罫線を除いて黒色インキでベタ印刷する事等により、黒地に白罫線を近似再現する等、非効率かつ高価になるために、当初から黒色に漉かれた黒紙をその表面上に何らの印刷する事なくそのまま定型に裁断して束ねただけのものが殆どであった。【０００５】  従って黒色紙に光輝性インキ等による筆記具を用いて筆記した場合、罫線は引かれていないため、文字寸法が均一に書きにくく、また文字行の直線性の乱れ等が生じやすく、更に描画を作成した場合でも改めて額装する必要がある等、審美性の上からも数々の不都合があった。
【先行技術文献】
【特許文献】
【０００６】
【特許文献１】特許公開２００３−２３８８８号公報
【考案の概要】
【考案が解決しようとする課題】
【０００７】  本考案の目的はこのような従来の光輝性インキで筆記叉は描画した場合の筆記用紙としての無罫線の黒色用紙が有する難点を解消するもので、黒色近似に漉かれ製紙された黒色用紙に対比効果のある黒色以外の色インキをもって罫線あるいは枠線等を予め印刷しておくことによって、黒色用紙であっても筆記用紙あるいは描画用紙としての機能を付与し、もって前述の欠点を解決しようとするものである。
【課題を解決するための手段】
【０００８】  （請求項１に記載の考案の特徴）
請求項１に記載の考案は、表面色がマンセル表色系におけるＮ１．５〜３の近似色に漉かれ製紙された黒色用紙に、罫線、点線、点等の筆記用補助線もしくは額縁、枠、飾枠等の描画用額枠を、予め印刷用紙表面の汚れや異物を検知するセンサーを取り外した印刷機をもって前記表面色以外の色インキで印刷されていることを特徴とする。【０００９】  請求項１に記載の考案によれば、従来の白色用紙に罫線や枠額のみを除いて用紙表面を黒色インキでベタ印刷するのとは異なり、既に製紙された黒色用紙に対比効果のある色インキで罫線等あるいは額枠等のみを印刷した説枠筆記用紙、あるいは説枠描画用紙としての構成とすることにより課題を解決している。
【考案の効果】
【００１０】  上述のように本考案は、光輝性顔料やパール性顔料を配合したインキを有する筆記具に最適の、審美性に優れた筆記用紙や描画用紙を高品質でかつ安価に提供することができるものである。
【実施例】
【００１１】  以下、添付図面に従って一実施例を説明する。図中いずれも符号１．は、その表面色がマンセル表色系数値Ｎ１．５〜３近似に漉かれた製紙済み用紙であり、その表面に前記表面色以外の色インキによって、罫線、点線、点等の筆記用補助線もしくは額縁、枠、縁飾り等の描画用額枠等を印刷しておくことにより、光輝性インキを有する筆記具に最適な筆記用紙もしくは描画用紙となっている状態を示している。【００１２】  すなわち図１．は多数の罫線と飾り罫線から構成される筆記用紙としての一実施例であり、これら筆記用補助線が印刷されていることにより、光輝性インキを有する筆記具によっても通常の白色ノートに記載するするのと同様に筆記する事ができる。【００１３】  図２．は多数の点（ドット）と飾り罫線から構成される筆記用紙あるいは描画用紙としての一実施例であり、文章筆記用罫線もしくは略図面や描画のための補助点となっている。【００１４】  図３．および図４．は、額縁や飾り枠から構成される描画用説枠用紙としての一実施例であり、額縁や額枠が予め印刷してあることにより、特別に額装や表装しなくとも描画をそのまま展示することが可能で審美性に優れるものである。【００１５】  上記、添付図面は当然のことながら本考案の一実施例に過ぎず、通常の印刷、製版工程で用いられる写真、イラスト、漫画、あるいはエンボス加工も同様に利用することができる。
【図面の簡単な説明】
【００１６】
【図１】本考案の筆記用罫線の実施例を示す正面図である。
【図２】本考案の筆記用点の実施例を示す正面図である。
【図３】本考案の描画用額縁の実施例を示す正面図である。
【図４】本考案の描画用縁飾りの実施例を示す正面図である。
【符号の説明】
【００１７】１    黒色用紙
２    色インキ印刷による飾り罫線
３    色インキ印刷による筆記用罫線
４    色インキ印刷による筆記用もしくは描画用  点（ドット）
５    色インキ印刷による描画用額縁
６    色インキ印刷による描画用縁飾り
【図１】
0003186294.tif 000003
【図２】
0003186294.tif 000004
【図３】
0003186294.tif 000005
【図４】
0003186294.tif 000006
【手続補正書】
【提出日】平成25年7月10日(2013.7.10)
【手続補正１】
【補正対象書類名】実用新案登録請求の範囲
【補正対象項目名】請求項１
【補正方法】変更
【補正の内容】
【請求項１】
表面色がマンセル番号Ｎ１．５〜３の近似色に製紙された矩形形状を有する用紙において、前記矩形を構成する上辺及び下辺に隣接した飾り罫線と該飾り罫線間に複数の筆記用補助線を配置してなる筆記用紙の該飾り罫線及び該筆記用補助線が、あるいは、前記飾り罫線間に複数の筆記用補助点を配置して成る筆記用紙の該飾り罫線及び該筆記用補助点が、あるいは、前記矩形を構成する各辺に隣接した飾り枠と該飾り枠に囲まれた中央には空白部を配置して成る筆記用紙の該飾り枠が、あるいは、前記矩形を構成する各頂点に隣接した相互に連続しない飾り枠と該飾り枠に囲まれた中央には空白部を配置してなる筆記用紙の該飾り枠が、前記表面色以外の色インキで前記用紙表面上に印刷されていることを特徴とする筆記用紙。